(57)【特許請求の範囲】
【請求項１】
使用者と作業空間とを隔てる仕切壁に形成された挿通孔に嵌め込まれ、手袋を作業空間に突き出すように固定するための固定部材であって、手袋が着脱可能に装着される筒体と、筒体を仕切壁に固定するためのリング状の蓋体とから構成され、筒体の本体部の使用者側の一端に、手袋の手首部を折り返して取り付けたときの抜け防止のための凸部が設けられ、筒体の作業空間側の他側に、仕切壁に当接するフランジが設けられ、フランジから他側に向かって突出するように外筒部が設けられ、蓋体に、外筒部に挿入されて嵌まり込む内筒部が一側に向かって突出するように設けられ、筒体の外筒部の内径が本体部の内径よりも大とされ、蓋体の内径が本体部の内径と同じとされ、筒体のフランジと蓋体の一側の端面との隙間は仕切壁の厚さ以上とされ、筒体の外筒部が仕切壁の挿通孔に嵌め込まれ、蓋体の内筒部が外筒部に挿入され、筒体のフランジと蓋体とによって仕切壁を挟み込み、装着された手袋の指先部が作業空間に突き出し、手を筒体から引き抜いたときに手袋が裏返しになって一側に引っ張り出されることを特徴とする手袋の固定部材。
【発明の詳細な説明】
【技術分野】
【０００１】
本発明は、手袋の使用者と作業区間とを隔てる仕切壁において、手袋を簡単に着脱できるようにするための手袋の固定部材に関する。
【背景技術】
【０００２】
感染性の飛沫の拡散を防止するために医療従事者と患者とを隔離する仕切壁が用いられる。どこでも容易に対応できるように、現場で組み立て可能な仕切壁として、例えば特許文献１に記載の飛沫感染防止用盾があり、手袋の使用者である医療従事者と患者がいる作業空間を隔てる。この仕切壁は、樹脂パネル製あるいは段ボール製であるので、容易に持ち運ぶことができる。この仕切壁を設置すれば、手袋を装着した医療従事者は、仕切壁に形成された孔から手を患者側に出して、患者を検査することができる。このような仕切壁を用いることにより、どこでも検査場とすることが可能となる。
【０００３】
ところで、医療従事者などの手袋の使用者が手袋を簡単に装着できるようにするために、特許文献２には、装置本体の側壁に手袋支持用の装着筒が設置され、手袋の指先部を装着筒に挿入して、手袋の手首部を装着筒の端部に嵌め込み、手を手袋に挿入して装着することが記載されている。
【先行技術文献】
【特許文献】
【０００４】
【特許文献１】実用新案登録第３２２６６００号公報
【特許文献２】特開平６−２８５０８３号公報
【発明の概要】
【発明が解決しようとする課題】
【０００５】
上記の装着筒は装置本体に固定されており、容易に着脱することができない。そのため、特許文献１の仕切壁に適用すると、装着筒が仕切壁に一体化され、持ち運びやすいといった利点が薄れる。また、手袋は使い捨てとされ、仕切壁に容易に着脱できることが望まれる。そこで、本発明は、上記に鑑み、簡易な仕切壁において、手袋を容易に着脱することができる固定部材の提供を目的とする。
【課題を解決するための手段】
【０００６】
本発明の手袋の固定部材は、使用者と作業空間とを隔てる仕切壁に形成された挿通孔に嵌め込まれ、手袋を作業空間に突き出すように固定するものであって、手袋が着脱可能に装着される筒体と、筒体を仕切壁に設置するためのリング状の蓋体とから構成される。筒体の本体部の使用者側の一端に、手袋の手首部を折り返して取り付けたときの抜け防止のための凸部が設けられ、筒体の作業空間側の他側に、仕切壁に当接するフランジが設けられ、フランジから他側に向かって突出するように外筒部が設けられ、蓋体に、外筒部に挿入されて嵌まり込む内筒部が一側に向かって突出するように設けられる。筒体の外筒部が仕切壁の挿通孔に嵌め込まれ、蓋体の内筒部が外筒部に挿入され、筒体のフランジと蓋体とによって仕切壁を挟み込んで固定部材は仕切壁に取り付けられる。このとき、装着された手袋の指先部が作業空間に突き出す。手袋を外すとき、手を筒体から引き抜くと、手袋が裏返しになって一側に引っ張り出され、手袋の表面に触れることなく手袋を固定部材から外せる。
【０００７】
筒体の外筒部の内径が本体部の内径よりも大とされ、蓋体の内径が本体部の内径と同じとされる。これにより、固定部材の内周面が面一となり、固定部材への手袋の出し入れがしやすくなる。筒体のフランジと蓋体の一側の端面との隙間は仕切壁の厚さ以上とされる。これにより、段ボール製などの簡易な仕切壁であっても、筒体に蓋体を確実に挿入することができ、固定部材をしっかりと仕切壁に取り付けることができる。
【発明の効果】
【０００８】
本発明によると、手袋を装着した筒体と蓋体とに分割して、蓋体を筒体に嵌め込んだり、取り外したりすることにより、手袋の固定部材を仕切壁に簡単に着脱することができる。したがって、どこにでも設置できる簡易な仕切壁において、手袋を容易に使用することが可能となり、使用者を守りながらいろいろな作業が可能となる。また、手袋を引っ張り出すことにより、裏返したまま手袋を仕切壁から外すことができ、手袋の表面に付着した生物や物体に触れることなく、手袋を安全に処理できる。
【図面の簡単な説明】
【０００９】
【図１】本発明の実施形態の固定部材を使用した仕切壁の斜視図
【図２】患者側から見た仕切壁の斜視図
【図３】手袋を装着した医療従事者の使用状態を示す斜視図
【図４】患者側から見た手袋を装着した医療従事者の使用状態を示す斜視図
【図５】仕切壁に取り付けた固定部材の断面図
【図６】分割した状態の固定部材の正面図
【図７】分割した状態の固定部材の断面図
【図８】固定部材の断面図
【図９】手袋を外すときの仕切壁の斜視図
【図１０】固定部材の使用例を示す図
【発明を実施するための形態】
【００１０】
本発明に係る手袋の固定部材を医療シールドのための仕切壁に使用した実施形態を図１〜４に示す。医療シールド用の仕切壁１は、手袋を使用する使用者である医療従事者と患者がいる作業空間とを隔てる隔離パネル本体２と、その四方に患者側に突出するように形成された上下左右の袖壁部３と、左右の袖壁部３からさらに患者側に突出され、かつ床面に設置可能な高さを有する側方遮蔽部４とから構成される。隔離パネル本体２と側方遮蔽部４とによって囲まれた作業空間に患者が入り、医療従事者は隔離パネル本体２を挟んで患者と対面する。袖壁部３および側方遮蔽部４により患者からの飛沫が医療従事者側に拡散するのを防止できるようになっている。
【００１１】
これらの隔離パネル本体２、袖壁部３および側方遮蔽部４は、軽量樹脂パネルまたは段ボール等の平板により形成される。軽量樹脂パネルとしては、発泡スチロールや合成樹脂製の中空パネル等が例示できる。段ボールとしては、紙製あるいは樹脂製のものが例示できる。いずれも軽量であるので、簡単に持ち運びすることができる。
【００１２】
袖壁部３は、隔離パネル本体２の周縁を折り返して一体的に形成される。側方遮蔽部４は、左右の袖壁部３に接着剤、粘着テープ、面ファスナ等の接合手段により接合される。組み立てられた仕切壁１は、自立可能であり、軽量であるので、屋内外を問わず持ち運んで任意の場所に設置することができる。なお、平板のまま持ち運んで、仕切壁１を現場で組み立ててもよい。
【００１３】
隔離パネル本体２には、その中央部に医療従事者が患者を視認することができるように矩形状の視認用窓５が形成され、視認用窓５には、作業空間と隔離するための透明なフィルム６が貼り付けられている。視認用窓５の下側には、聴診器等を貫通させる蓋付の貫通孔７が形成され、通常は蓋により閉鎖され、必要な場合のみ蓋を開放して聴診器等を通すことができるようになっている。
【００１４】
視認用窓５の下側の左右に、手袋１０を装着した医療従事者が作業空間に手を差し出すための挿通孔１１が形成されている。図５に示すように、挿通孔１１には、手袋１０を着脱可能に固定するための固定部材１２が嵌め込まれ、手袋１０が作業空間に突き出るように固定される。図６、７に示すように、固定部材１２は、２分割された構造とされ、手袋１０が装着される筒体１３と、筒体１３を仕切壁１に設置するためのリング状の蓋体１４とから構成される。
【００１５】
筒体１３の円筒状に形成された本体部１５の一側である医療従事者側に、手袋抜け防止のための凸部１６が設けられ、凸部１６は、本体部１５の一端に外周面に盛り上がるように円周方向に形成され、凸部１６の外径は、手袋１０の手首部の口径よりも少し大とされる。筒体１３の他側である患者側に、仕切壁１に当接するフランジ１７が設けられ、フランジ１７から他側に向かって突出するように外筒部１８が設けられる。外筒部１８の外径は円形状に形成された挿通孔１１と同径とされ、外筒部１８の内径は本体部１５の内径よりも大とされる。フランジ１７の外径や厚さを大きくすることにより、固定部材１２の強度が高くなる。
【００１６】
蓋体１４に、外筒部１８に挿入されて嵌まり込む内筒部２０が一側に向かって突出するように設けられる。蓋体１４の内径は本体部１５の内径と同じとされ、図８に示すように、蓋体１４の内筒部２０を筒体１３の外筒部１８に嵌め込んだとき、固定部材１２の内周面は面一となる。内筒部２０の外周面に、山形状のリブ２１が円周方向に形成され、外筒部１８の内周面に、リブ２１が嵌まる溝２２が円周方向に形成される。蓋体１４の内筒部２０を筒体１３の外筒部１８に押し込んで挿入すると、リブ２１が溝２２に嵌まり、蓋体１４が筒体１３から容易に外れないように嵌め込まれる。また、フランジ１７と蓋体１４の一側の端面との隙間２３は仕切壁１の厚さ以上とされる。この隙間２３に応じて内筒部２０の突出長さが設定され、外筒部１８の突出長さは、蓋体１４を筒体１３に嵌め込んだときに蓋体１４の一側の端面２４に当接するように設定される。これにより、フランジ１７と蓋体１４との隙間２３は仕切壁１より大きくなるので、固定部材１２は多少厚い仕切壁１にも取り付け可能となり、仕切壁１の強度を高めることができる。
【００１７】
現場に設置された上記の仕切壁１において、固定部材１２を取り付ける。まず、筒体１３を仕切壁１の挿通孔１１に差し込み、蓋体１４の内筒部２０を筒体１３の外筒部１８に挿入して、蓋体１４を筒体１３に嵌め込む。このとき、筒体１３のフランジ１７と蓋体１４とによって仕切壁１が挟み込まれ、固定部材１２が仕切壁１に固定される。なお、仕切壁１が薄い場合、仕切壁１はフランジ１７と蓋体１４の両者には接触しないが、固定部材１２は仕切壁１の挿通孔１１から外れることはない。なお、仕切壁１の厚さに応じて、外筒部１８および内筒部２０の突出長さを変更してもよい。
【００１８】
次に、手袋１０の指先部が患者側の空間に突き出るように、手袋１０を筒体１３の一側から挿入する。そして、手袋１０の手首部を折り返して、筒体１３の凸部１６に被せ、手袋１０を固定部材１２に取り付ける。ここで、ゴム製やシリコン製などの弾力性を有する手袋１０の場合、手袋１０の手首部が伸縮するので、手袋１０を筒体１３に被せると、手袋１０の手首部が凸部１６を越えて筒体１３の外周面に密着する。ポロエチレン製などの弾力性のない手袋１０の場合、手袋１０の手首部を筒体１３の凸部１６に被せて、バンド、輪ゴムなどのリング状の締付部材で手首部を筒体１３の外周面に固定する。手袋１０は、指先部が作業空間に突き出た状態で仕切壁１に固定される。医療従事者は開口した手袋１０の手首部から手を差し込むだけで、簡単に手袋１０を装着することができる。そして、手袋１０の使用中に手を伸ばしたとき、手袋１０は引っ張られるが、手首部が凸部１６に引っ掛かって手袋１０は筒体１３から外れることはない。
【００１９】
使い捨ての手袋１０を交換するとき、手袋１０をした手を固定部材１２から抜くと、図９に示すように、手袋１０が裏返しになって筒体１３の一端から引き出される。固定部材１２の内周面は面一になっているので、手袋１０が引っかからずにスムーズに手袋１０が引き出される。裏返しになった指先部が現れ、手袋１０を引っ張ると、手首部が筒体１３から抜けて、裏返しになった手袋１０が固定部材１２から外れる。作業空間に露出していた手袋１０の表面に触れることなく、手袋１０を仕切壁１から外すことができる。そして、新しい手袋１０を装着する。このように、簡単に手袋１０を外すことができるので、手袋１０の交換を容易に行うことができる。しかも、手袋１０の表面に付着した生物や物体に触れることなく、手袋１０を安全に処理できる。
【００２０】
固定部材１２を取り外す場合には、蓋体１４を引っ張ると、リブ２１が溝２２から外れ、蓋体１４が筒体１３から抜けて、筒体１３が仕切壁１から外れる。そして、取り外した固定部材１２を別の仕切壁１に簡単に取り付けることができる。例えば、平板に孔を開けて固定部材１２を取り付ければ、簡易の仕切壁１ができ、緊急時に活用できる。
【００２１】
図１０に示すように、上記の固定部材１２は、医療用の仕切壁１に限らず、各種の作業空間を形成できる仕切壁１に取り付けることができる。仕切壁１は、どこにでも挿通孔１１を開けることができるような紙、プラスチック、木材、金属等の軽量な材料であればよい。そして、仕切壁１を所望の場所に設置し、仕切壁１に取り付けられた手袋１０に手を入れて、作業空間で多様な作業が行える。例えば、図中（ａ）に示すように、段ボール箱に挿通孔１１を開けて、固定部材１２を取り付け、箱内で塗装作業、洗浄作業、ショットブラスト作業などを行う。図中（ｂ）に示すように、透明な樹脂パネルによって密閉した作業空間を形成し、油、薬品、溶剤などを取り扱う作業、食品の加工作業、部品や製品の検査作業および組立作業などを行うのに使用してもよい。また、図中（ｃ）に示すように、平板の仕切壁１に任意の位置に挿通孔１１を複数個開けて、各挿通孔１１に固定部材１２を取り付けてもよい。図中（ｄ）に示すように、小型の仕切壁１に固定部材１２を取り付けると、子供の遊び道具として使用したり、家事などに使用することができる。
【００２２】
なお、本発明は、上記実施形態に限定されるものではなく、本発明の範囲内で上記実施形態に多くの修正および変更を加え得ることは勿論である。固定部材は、円筒に限らず角筒であってもよい。
【符号の説明】
【００２３】
１    仕切壁
２    隔離パネル本体
１０    手袋
１１    挿通孔
１２    固定部材
１３    筒体
１４    蓋体
１５    本体部
１６    凸部
１７    フランジ
１８    外筒部
２０    内筒部
２１    リブ
２２    溝
【要約】
【課題】簡易な仕切壁に手袋を容易に着脱できるようにする。
【解決手段】手袋１０が着脱可能に装着される筒体１３と、筒体１３を仕切壁１に設置するためのリング状の蓋体１４とから構成される。筒体１３の本体部１５の使用者側の一端に、手袋１０の手首部を折り返して取り付けたときの抜け防止のための凸部１６が設けられ、筒体１３の作業空間側の他側に、仕切壁１に当接するフランジ１７が設けられ、フランジ１７から他側に向かって突出するように外筒部１８が設けられ、蓋体１４に、外筒部１８に挿入されて嵌まり込む内筒部２０が一側に向かって突出するように設けられる。挿通孔１１に嵌め込まれた外筒部１８に内筒部２０が挿入され、フランジ１７と蓋体１４とによって仕切壁１が挟まれる。手袋１０を装着した手を筒体１３から引き抜くと、手袋１０が一側に引っ張り出され、裏返しに手袋１０を固定部材１２から外せる。
【選択図】図１【図１】
0006875034.tif 000002
【図２】
0006875034.tif 000003
【図３】
0006875034.tif 000004
【図４】
0006875034.tif 000005
【図５】
0006875034.tif 000006
【図６】
0006875034.tif 000007
【図７】
0006875034.tif 000008
【図８】
0006875034.tif 000009
【図９】
0006875034.tif 000010
【図１０】
0006875034.tif 000011